(57)【要約】  【課題】制御部が設けられた空間に滞留する熱を装置外部に排出することができる。  【解決手段】画像を形成する画像形成部と、この画像形成部の上方に位置し、画像を読み取る画像読取部と、この画像読取部を支持する支持部と、前記画像形成部内に配置された制御部と、前記制御部、前記支持部及び前記画像読取部に空気が流通するように形成された通気部と、前記支持部にあって前記通気部に空気を送る送風部と、を有する。【選択図】図２
2010156904.tif 000002
【特許請求の範囲】
【請求項１】
画像を形成する画像形成部と、
この画像形成部の上方に位置し、画像を読み取る画像読取部と、
この画像読取部を支持する支持部と、
前記画像形成部内に配置された制御部と、
前記制御部、前記支持部及び前記画像読取部に空気が流通するように形成された通気部と、
前記支持部にあって前記通気部に空気を送る送風部と、
を有する画像形成装置。
【請求項２】
前記制御部及び前記支持部は垂直方向に配置され、前記画像読取部は水平方向に配置され、前記通気部は屈曲した形状をなす請求項１記載の画像形成装置。
【請求項３】
前記送風部は、前記通気部の屈曲した部分に配設され、前記画像読取部に対して傾いて配置されている請求項２記載の画像形成装置。
【請求項４】
前記通気部は、前記画像読取部の下面に形成された排出孔を有する請求項１乃至３いずれか記載の画像形成装置。
【請求項５】
前記排出孔には、前記画像読取部の下面に対して傾斜して配置された複数の案内部が設けられている請求項４記載の画像形成装置。
【発明の詳細な説明】
【技術分野】
【０００１】
本発明は、画像形成装置に関する。
【背景技術】
【０００２】
特許文献１は、スキャナを下方から支持する１対の中空状のアーム状部材と、上端において１対のアーム状部材をそれぞれ支持する支柱１０２とを備え、支柱には２本の支柱の間に配置されたプリンタ基板を通過した空気が流入する空気流入口が開口し、アーム状部材の下面に空気流入口から流入した空気流が流出する空気流出口が開口した支持台を開示する。特許文献２は、ラックの支柱を中空状に形成し、ラック内に配置された装置の発熱体に熱せられた空気を支柱に形成された流入口を介して、流入口より上方に位置する流出口から排出する構成を開示する。
【０００３】
【特許文献１】特開２００７−３１８４１３号公報
【特許文献２】特開２００１−２３６０００号公報
【発明の開示】
【発明が解決しようとする課題】
【０００４】
本発明の目的は、制御部が設けられた空間に滞留する熱を装置外部に排出することができる画像形成装置を提供することにある。
【課題を解決するための手段】
【０００５】
上記目的を達成するために、請求項１に係る本発明は、画像を形成する画像形成部と、この画像形成部の上方に位置し、画像を読み取る画像読取部と、この画像読取部を支持する支持部と、前記画像形成部内に配置された制御部と、前記制御部、前記支持部及び前記画像読取部に空気が流通するように形成された通気部と、前記支持部にあって前記通気部に空気を送る送風部と、を有する画像形成装置である。
【０００６】
請求項２に係る本発明は、前記制御部及び前記支持部は垂直方向に配置され、前記画像読取部は水平方向に配置され、前記通気部は屈曲した形状をなす請求項１記載の画像形成装置である。
【０００７】
請求項３に係る本発明は、前記送風部は、前記通気部の屈曲した部分に配設され、前記画像読取部に対して傾いて配置されている請求項２記載の画像形成装置である。
【０００８】
請求項４に係る本発明は、前記通気部は、前記画像読取部の下面に形成された排出孔を有する請求項１乃至３いずれか記載の画像形成装置である。
【０００９】
請求項５に係る本発明は、前記排出孔には、前記画像読取部の下面に対して傾斜して配置された複数の案内部が設けられている請求項４記載の画像形成装置である。
【発明の効果】
【００１０】
請求項１に係る本発明によれば、制御部が設けられた空間に滞留する熱を装置外部に排出することができる。
【００１１】
請求項２に係る本発明によれば、請求項１に係る本発明の効果に加えて、本構成を有していない場合に比較して、制御部が設けられた空間に滞留する熱を良好に装置外部に排出することができる。
【００１２】
請求項３に係る本発明によれば、請求項２に係る本発明の効果に加えて、本構成を有していない場合に比較して、装置を小型化することができる。
【００１３】
請求項４に係る本発明によれば、請求項１乃至３いずれかに係る本発明の効果に加えて、本構成を有していない場合に比較して、画像読取部を効果的に冷却することができる。
【００１４】
請求項５に係る本発明によれば、請求項４に係る本発明の効果に加えて、本構成を有していない場合に比較して、埃等の流入を低減することができる。
【発明を実施するための最良の形態】
【００１５】
次に本発明の実施形態を図面に基づいて説明する。
図１は、本発明の実施形態に係る画像形成装置１００の側面断面図を示す。
この画像形成装置１００は、画像を形成する画像形成部１０と、画像形成部１０の上方に略水平に配置され、画像を読み取る画像読取部１１と、この画像形成部１０と画像読取部１１とを略垂直に接続し、画像読取部１１を先端で支持する支持部７０から構成される。
【００１６】
まず、画像形成部１０について説明する。
【００１７】
図1に示すように、画像形成部１０は、画像形成部本体１２を有し、この画像形成部本体１２内に像形成部１４と、像形成部１４にシートを供給するシート供給装置１６と、電源ユニット１８と、画像形成部本体１２の上部に画像形成がなされたシートが排出されるシート排出部２２が設けられている。
【００１８】
像形成部１４は、カラー画像を形成する電子写真方式のもので、トナー像を保持する像保持体２４Ｙ、２４Ｍ、２４Ｃ、２４Ｂと、この各像保持体２４Ｙ、２４Ｍ、２４Ｃ、２４Ｂを一様に帯電する帯電ロールを備えた帯電装置２５Ｙ、２５Ｍ、２５Ｃ、２５Ｂと、各像保持体２４Ｙ、２４Ｍ、２４Ｃ、２４Ｂに光により静電潜像を書き込む光書き込み装置２６Ｙ、２６Ｍ、２６Ｃ、２６Ｂと、各像保持体２４Ｙ、２４Ｍ、２４Ｃ、２４Ｂに書き込まれた潜像を非磁性のトナーと磁性のキャリアとからなる二成分系の現像剤を用いて現像する現像器２８Ｙ、２８Ｍ、２８Ｃ、２８Ｂと、各像保持体２４Ｙ、２４Ｍ、２４Ｃ、２４Ｂに形成されたトナー像をシートに転写する転写ユニット２９と、転写ユニット２９によるトナー像の転写がなされた後に像保持体２４Ｙ、２４Ｍ、２４Ｃ、２４Ｂに残留する廃トナーを例えば掻き取って（剥離して）回収するクリーニング装置３０Ｙ、３０Ｍ、３０Ｃ、３０Ｂとを有する。
【００１９】
光書き込み装置２６Ｙ、２６Ｍ、２６Ｃ、２６Ｂは、それぞれレーザ露光装置からなり、光書き込み装置２６Ｙは像保持体２４Ｙにイエロー画像に対応するレーザ光を、光書き込み装置２６Ｍは像保持体２４Ｍにマゼンダ画像に対応するレーザ光を、光書き込み装置２６Ｃは像保持体２４Ｃにシアン画像に対応するレーザ光を、光書き込み装置２６Ｂは像保持体２４Ｂにブラック画像に対応するレーザ光をそれぞれ発し、像保持体２４Ｙ、２４Ｍ、２４Ｃ、２４Ｂに、それぞれ静電潜像を書き込むようになっている。
【００２０】
転写ユニット２９は、像形成ユニット３２の像保持体２４Ｙ、２４Ｍ、２４Ｃ、２４Ｂと接触するように配置されている。この転写ユニット２９は、ユニットとして一体化されていて二つの支持ロール４４ａ、４４ｂと、シート又はトナー像を搬送する搬送ベルト４６と、この搬送ベルト４６にシートを吸着させる吸着ロール４８と、搬送ベルト４６により搬送中のシートに、各像保持体２４Ｙ、２４Ｍ、２４Ｃ、２４Ｂに形成されたトナー像をそれぞれ転写する転写ロール５０Ｙ、５０Ｍ、５０Ｃ、５０Ｂとが装着されてなる。
【００２１】
吸着ロール４８は、搬送ベルト４６を介して支持ロール４４ａに圧接する状態で設けられ、電源ユニット１８から電圧が印加されて搬送ベルト４６に静電的にシートを吸着させるようになっている。
【００２２】
転写ロール５０Ｙ、５０Ｍ、５０Ｃ、５０Ｂは、それぞれ転写バイアスが印加されており、像保持体２４Ｙ、２４Ｍ、２４Ｃ、２４Ｂに形成されたトナー像を、搬送ベルト４６によって搬送中のシートへ順に転写し、シートにイエロー、マゼンダ、ブラック、シアンの４色のトナー像が重ねられたカラートナー像を形成するようになっている。
【００２３】
画像形成部本体１２内の上部には、転写ユニット２９によりシートに転写されたトナー像をシートへと定着する定着装置５２が設けられている。定着装置５２は、加熱ロール５２ａと加圧ロール５２ｂとからなり、加熱ロール５２ａと加圧ロール５２ｂとの間を通過するシートを加熱し加圧することで、シートにトナー像を定着するようになっている。
【００２４】
また、画像形成部本体１２内には、シート供給装置１６から供給されたシートをシート排出部２２まで搬送する搬送路６０が設けられていて、この搬送路６０に沿って、シート搬送方向上流側から順に、レジストロール６２、転写ユニット２９、定着装置５２及び排出ロール６４が配置されている。排出ロール６４は、定着装置５２から搬送されたシートをシート排出部２２へと排出する。
【００２５】
次に、制御部７２周辺について図２及び図３に基づいて説明する。
図２は、本発明の実施形態に係る画像形成装置１００の正面概略図である。
図３は、本発明の実施形態に係る画像形成装置１００内の空気の流れを説明するための概略斜視図である。
【００２６】
制御部７２は、ＣＰＵなどを有する発熱体である例えば制御基板であり、画像形成部１０及び画像読取部１１等の画像形成装置１００を構成する各部を制御する。
制御部７２は、画像形成部本体１２側方に形成された中空箱状の空間である第１の通気部７４に略垂直に配設されている。
第１の通気部７４は、画像形成部本体１２側方の下面から上面にかけて形成されている。
【００２７】
支持部７０は、画像形成部本体１２側方の上面から略垂直に延び、上端が画像読取部１１の端部を略水平に支持している。
支持部７０は、中空箱形状であり、第２の通気部７６を形成する。第２の通気部７６は、画像読取部１１の端部を支持する側面と反対側の面が上方の画像読取部１１に近づくにつれて端部側と離れる方向に傾斜して形成されている。また、第２の通気部７６は、第１の通気部７４に連通している。
【００２８】
画像読取部１１は、画像形成部１０のシート排出部２２の上方に略水平に配置される。
画像読取部１１は、画像読取部本体７７と画像読取部本体７７の下方に形成された中空部７８からなる。この中空部７８は第３の通気部７９を形成する。
第３の通気部７９は、第２の通気部７６に連通している。また、画像読取部１１の下面である中空部７８の下面には、後述する装置内部の空気を排出する排出孔８０が形成されている。
【００２９】
支持部７０内の屈曲した部分には、第１の通気部７４、第２の通気部７６及び第３の通気部７９内の空気を排出孔８０に向けて送る例えばファンの送風部８３が配設されている。
送風部８３は、画像読取部１１に対して３０°から６０°の角度、好ましくは４５°の角度に傾いて配設されている。
【００３０】
次に、画像読取部１１の下面に形成されている排出孔８０について図４乃至図６に基づいて説明する。
図４は、本発明の実施形態に係る画像形成装置１００の全体の斜視図を示す。
図５は、図４のＡ部である画像読取部１１の下面に形成された排出孔８０周辺の（ａ）は斜視図を示し、（ｂ）は排出孔８０に設けられた案内部８１の断面図を示す。
本発明の実施形態では、排出孔８０に画像読取部１１の下面に対して空気の上流側から下流側に傾斜して配置された複数のルーバー状（長板形状）の案内部８１が設けられている。
なお、本発明の実施形態では、排出孔８０にルーバー状（長板形状）の案内部８１を設けたがこれに限られず、図６に示すように、排出孔８０を複数のパンチ形状（円形状）８２としてもよい。
【００３１】
したがって、装置１００内の第１の通気部７４に備えられた制御部７２周辺の温められた空気は、制御部７２が配置された空間、支持部７０及び画像読取部１１の下部をダクトとして、第１の通気部７４を上昇し、第２の通気部７６を介してＬ字状に屈曲して第３の通気部７９に流れる。ここで、屈曲した部分にある送風部８３が回転することで、送風部８３の上流側にある空気が下流側にある排出孔８０から排出され、上流側にある制御部７２周辺の温められた空気を装置外部へ排出される。
【００３２】
また、排出孔８０に画像読取部１１の下面に対して空気の上流側から下流側に傾斜して配置された複数のルーバー状の案内部８１を設けることで、通気性が良好となり、埃等の流入を低減しつつ、装置内の温められた空気を良好に装置外へ排出される。
【図面の簡単な説明】
【００３３】
【図１】本発明の実施形態に係る画像形成装置の概要を示す側面からみた断面図である。
【図２】本発明の実施形態に係る画像形成装置の正面概略図である。
【図３】本発明の実施形態に係る画像形成装置内の空気の流れを示す概略斜視図である。
【図４】本発明の実施形態に係る画像形成装置を示す斜視図である。
【図５】図４のＡ部である画像読取部１１の下面に形成された排出孔８０周辺の（ａ）は斜視図であり、（ｂ）は排出孔８０に形成された案内部８１の断面図である。
【図６】図４のＡ部である画面読取部１１の下面に形成された他の実施形態に係る排出孔８０周辺の斜視図である。
【符号の説明】
【００３４】
１０    画像形成部
１１    画像読取部
１２    画像形成部本体
２２    シート排出部
７０    支持部
７２    制御部
７４    第１の通気部
７６    第２の通気部
７７    画像読取部本体
７８    中空部
７９    第３の通気部
８０    排出孔
８１    案内部
８３    送風部
【図１】
2010156904.tif 000003
【図２】
2010156904.tif 000004
【図３】
2010156904.tif 000005
【図４】
2010156904.tif 000006
【図５】
2010156904.tif 000007
【図６】
2010156904.tif 000008